(57)【要約】【課題】浸漬位置を作業者の個人誤差を少なくして正確に決定すること。【解決手段】測定子１０は、粘度測定対象物Ａ中に浸漬される浸漬部１０ａと、駆動部から振動が加えられる支持部１０ｂと、浸漬部１０ａと支持部１０ｂとの間に設けられた接液目印部１０ｃとを備えている。接液目印部１０ｃは、中央に設けられた極小幅部１００ｃと、この両端に設けられた上および下傾斜部１０１ｃ，１０２ｃとを有している。極小幅部１００ｃは、浸漬部１０ａおよび支持部１０ｂの長手方向の中心軸線上に位置しており、上および下傾斜部１０１ｃ，１０２ｃは、極小幅部１００ｃの上下端から、同じ幅の小幅部１０１ｂおよび基部１００ａの外縁に延設される傾斜線を有している。上および下傾斜部１０１ｃ，１０２ｃの傾斜線は、中心軸に対する傾斜角度が左右でそれぞれ同じ角度になっており、また、上下も同じ角度になってる。【選択図】  図２
2004294410.tif 000002
【特許請求の範囲】
【請求項１】
粘度測定の対象物中に浸漬される浸漬部と、測定子駆動部を介して、振動または回転が加えられる支持部と、前記浸漬部と支持部との間に設けられた接液目印部とを備えた粘度計用測定子であって、
前記接液目印部は、極小幅部と、前記極小幅部の両端に設けられた傾斜部とを有することを特徴とする粘度計用測定子。
【請求項２】
前記浸漬部は、先端に円板状の拡幅部を有することを特徴とする請求項１記載の粘度計用測定子。
【請求項３】
前記測定子は、平板状の板材から構成され、
前記浸漬部と前記支持部は、同一幅部を有し、この同一幅部に前記接液目印部を設けたことを特徴とする請求項１または２記載の粘度計用測定子。
【請求項４】
前記極小幅部は、前記同一幅部の長手方向中心軸上に設けられ、前記傾斜部は、前記極小幅部の上下端から前記同一幅部の外縁に延設する傾斜線を有することを特徴とする請求項３記載の粘度計用測定子。
【請求項５】
粘度測定の対象物中に浸漬される浸漬部と、測定子駆動部を介して、振動または回転が加えられる支持部と、前記浸漬部と支持部との間に設けられた接液目印部とを備えた粘度計用測定子の浸漬方法であって、
前記測定子に前記測定駆動部から振動を加えながら、前記測定子または前記対象物のいずれか一方を上下方向に移動させた際に、測定される粘度データの変化から、前記接液目印部の浸漬位置を決定することを特徴とする粘度計用測定子の浸漬位置の決定方法。
【請求項６】
前記粘度データを測定する際には、前記測定子を前記対象物中に浸漬して、前記接液目印部により目視で予め予備浸漬位置を決定し、その後、前記接液目印部の範囲内で上下方向に移動させることで、前記浸漬位置を決定することを特徴とする請求項５記載の粘度計用測定子の浸漬位置の決定方法。
【請求項７】
前記接液目印部は、極小幅部と、前記極小幅部の両端に設けられた傾斜部とを有することを特徴とする請求項６記載の粘度計用測定子の浸漬位置の決定方法。
【発明の詳細な説明】
【０００１】
【発明の属する技術分野】
この発明は、粘度計用測定子および同測定子の浸漬位置の決定方法に関するものである。
【０００２】
【従来の技術】
液体の粘度を測定し、品質管理などに利用する粘度計は、例えば、食品生産の際などに広く利用されている。このような用途に用いられる粘度計の一種として、例えば、特許文献１に開示されているような、振動式の粘度計がある。
【０００３】
この特許文献１に開示されている粘度計は、一対の測定子を粘度測定対象物中に浸漬し、測定子を電磁振動により、逆位相で共振振動させて、電磁振動を与える駆動部の駆動電流を連続的に変化させたときの測定子の振幅を測定し、駆動電流値と応答振幅値との関係から対象物の粘度を測定する。
このような粘度測定においては、測定子の浸漬状態が重要なファクターとなり、測定子が対象物に対して、常時、同じ浸漬位置になければ再現性がある正確な粘度測定が行えない。
【０００４】
そこで、従来は、測定子の浸漬位置の目印となる基準線を設定し、この基準線に液面を合わせる方式や、測定子の近傍に指針を配置し、指針の先端を液面に合わせる方式などが用いられていた。
【０００５】
しかしながら、このような従来の方式には、以下に説明する技術的な課題があった。
【０００６】
【特許文献１】
特開平８−１２８９４０号公報
【０００７】
【発明が解決しようとする課題】
すなわち、測定子に基準線を設定する方式では、液面に測定子を浸漬すると、液面の表面張力が働き、基準線の近傍に液面が盛り上がって、水平方向から基準線を見た場合でも、その確認が困難になる。
【０００８】
また、実際の測定時には、液面高さを、液面に対して、斜め上方から目視することが多く、この場合には、液面が立体的に見えることもあって、平面内にある基準線に液面を合わせたとしても、作業者による個人差が大きく、正確な測定を困難にしていた。
【０００９】
さらに、基準線の設定方式では、対象物が不透明な場合には、基準線の確認がより一層困難になるという問題もあった。
【００１０】
一方、指針を用いる方式では、指針を液面に接触すると、液面の表面張力により、液面が盛り上がり、指針と液面とが接触した際にどのような状態をもって、基準とするのか、作業者による個人差が大きく、正確な測定を困難にしていた。
【００１１】
本発明は、このような従来の問題点に鑑みてなされたものであって、その目的とするところは、浸漬位置を作業者の個人誤差を少なくして正確に決定することができる粘度計用測定子および同測定子の浸漬位置の決定方法を提供することにある。
【００１２】
【課題を解決するための手段】
上記目的を達成するために、本発明は、粘度測定の対象物中に浸漬される浸漬部と、測定子駆動部を介して、振動または回転が加えられる支持部と、前記浸漬部と支持部との間に設けられた接液目印部とを備えた粘度計用測定子であって、前記接液目印部は、極小幅部と、前記極小幅部の両端に設けられた傾斜部とを設けた。
【００１３】
このように構成した粘度計用測定子によれば、接液目印部は、極小幅部と、極小幅部の両端に設けられた傾斜部とを有しているので、水平方向からこの接液目印部を目視すると、極小幅部の上下に傾斜部が形成されており、この傾斜部を動く液面が、アナログ的（具象的）に見える。
【００１４】
これと同時に、液面に対して、測定子を挿入する場合と、抜き出す場合と、方向性の差がなくなり、その結果、高粘性の液体まで、比較的簡単に接液目印部に位置決めを行うことができる。
【００１５】
また、本発明の接液目印部は、極小幅部との傾斜部とで構成され、形状変化が大きいので、測定対象物が不透明の場合でも、形状の変化から、測定子を一定の浸漬状態に保つことができる。
【００１６】
前記浸漬部には、先端に円板状の拡幅部を設けることができる。
前記測定子は、平板状の板材から構成され、前記浸漬部と前記支持部は、同一幅部を有し、この同一幅部に前記接液目印部を設けることができる。
【００１７】
前記極小幅部は、前記同一幅部の長手方向中心軸上に設けられ、前記傾斜部には、前記極小幅部の上下端から前記同一幅部の外縁に延設する傾斜線を設けることができる。
【００１８】
また、本発明は、粘度測定の対象物中に浸漬される浸漬部と、測定子駆動部を介して、振動または回転が加えられる支持部と、前記浸漬部と支持部との間に設けられた接液目印部とを備えた粘度計用測定子の浸漬方法であって、前記測定子に前記測定駆動部から振動を加えながら、前記測定子または前記対象物のいずれか一方を上下方向に移動させた際に、測定される粘度データの変化から、前記接液目印部の浸漬位置を決定するようにした。
【００１９】
このように構成した粘度計用測定子の浸漬位置の決定方法によれば、測定子に測定駆動部から振動を加えながら、測定子または対象物のいずれか一方を上下方向に移動させた際に、測定される粘度データの変化から、接液目印部の浸漬位置を決定するので、作業者の目視によらず、正確に浸漬位置が決定される。
【００２０】
前記粘度データを測定する際には、前記測定子を前記対象物中に浸漬して、前記接液目印部により目視で予め予備浸漬位置を決定し、その後、前記接液目印部の範囲内で上下方向に移動させることで、前記浸漬位置を決定することができる。
【００２１】
前記接液目印部は、極小幅部と、前記極小幅部の両端に設けられた傾斜部とを有することができる。
【００２２】
【発明の実施の形態】
以下、本発明の好適な実施の形態について、添付図面に基づいて詳細に説明する。図１から図３は、本発明にかかる粘度計用測定子および同測定子の浸漬位置の決定方法の一実施例を示している。
【００２３】
図１は、本実施例の測定子１０を用いた粘度計の全体構成を示しており、測定子１０は、駆動部１２が内蔵された粘度計本体１４に装着されている。本実施例の場合の粘度計は、振動式のものであって、一対の測定子１０を粘度測定対象物Ａ中に浸漬し、測定子１０を電磁振動により、逆位相で共振振動させて、電磁振動を与える駆動部１２の駆動電流を連続的に変化させたときの測定子１０の振幅を測定し、駆動電流値と応答振幅値との関係から対象物Ａの粘度を測定する。
【００２４】
一対の測定子１０は、実質的に同一形状に形成され、粘度測定対象物Ａ中に浸漬される浸漬部１０ａと、駆動部１２から振動が加えられる支持部１０ｂと、浸漬部１０ａと支持部１０ｂとの間に設けられた接液目印部１０ｃとを備えている。
【００２５】
また、測定子１０は、例えば、金属，セラミックなどの薄肉平板状部材で構成されている。測定子１０の詳細構造を図２に示している。本実施例の測定子１０では、浸漬部１０ａ，支持部１０ｂ，接液目印部１０ｃは、同一軸線上に配置されている。浸漬部１０ａは、基部１００ａと、基部１００ａの先端に設けられた円形の拡幅部１００ａとを備えている。
【００２６】
支持部１０ｂは、基部１００ｂと、小幅部１０１ｂとを備え、小幅部１０１ｂは、浸漬部１０ａの基部１００ａと同じ幅（ｗ）になっており、この同じ幅の部分に接液目印部１０ｃが設けられている。
【００２７】
接液目印部１０ｃは、中央に設けられた極小幅部１００ｃと、この両端に設けられた上および下傾斜部１０１ｃ，１０２ｃとを有している。本実施例の場合、接液目印部１０ｃの極小幅部１００ｃは、基部１００ａの幅Ｗの概略１／４程度の幅を有し、浸漬部１０ａおよび支持部１０ｂの長手方向の中心軸線上に位置している。
【００２８】
上および下傾斜部１０１ｃ，１０２ｃは、極小幅部１００ｃの上下端から、同じ幅の小幅部１０１ｂおよび基部１００ａの外縁に延設される傾斜線を有している。
【００２９】
上および下傾斜部１０１ｃ，１０２ｃの傾斜線は、中心軸に対する傾斜角度が左右でそれぞれ同じ角度になっており、また、上下も同じ角度になっていて、水平線に対して、対称形状になっている。
【００３０】
このように構成した測定子１０は、粘度を測定する際には、測定容器１６内に収容されている測定対象物Ａの液面Ｌに対して、接液目印部１０ｃの極小幅部１００ｃが一致するように、目視により浸漬位置が決定される。
【００３１】
この場合、接液目印部１０ｃは、極小幅部１００ｃと、極小幅部１００ｃの両端に設けられた傾斜部１０１ｃ，１０２ｃとを有しているので、水平方向からこの接液目印部１０ｃを目視すると、極小幅部１００ｃの上下に傾斜部１０１ｃ，１０２ｃが形成されており、この傾斜部１０１ｃ，１０２ｃを動く液面Ｌが、アナログ的に見える。
【００３２】
これと同時に、液面Ｌに対して、測定子１０を挿入する場合と、抜き出す場合とで、方向性の差がなくなり、その結果、高粘性の液体まで、比較的簡単に接液目印部１０の極小幅部１００ｃに位置決めを行うことができる。
【００３３】
また、本実施例の接液目印部１０ｃは、極小幅部１００ｃとの傾斜部１０１ｃ，１０２ｃとで構成され、形状変化が大きいので、測定対象物Ａが不透明の場合でも、形状の変化から、測定子１０を一定の浸漬状態に保つことができる。以上のような接液目印部１０ｃの目視形態は、作業者によってほぼ同じ状態で目視されるので、作業者の個人誤差が少なくなる。
【００３４】
次に、目視によらずより精密な測定対象物Ａに対する測定子１０の浸漬位置を決定する方法について説明する。この方法では、まず、測定子１０を対象物Ａに浸漬して、駆動部１２で振動を加えて、粘度測定を行う。
【００３５】
この際に、測定容器１６内に収容されている測定対象物Ａないしは測定子１０のいずれか一方を上下方向に移動させ、この際に、測定される粘度データの変化から、接液目印部１０ｃの浸漬位置を決定する。
【００３６】
これをより具体的に説明すると、本実施例の場合には、まず、前述した目視方法により、接液目印部１０ｃの極小幅部１００ｃに液面Ｌが一致するように、予備浸漬位置を設定する。
【００３７】
そして、この位置から粘度測定を開始し、例えば、測定子１０を上下方向に移動させる。この際の移動範囲は、接液目印部１０ｃの範囲とすることが望ましい。図３は、上述した構成の測定子１０を上方に移動させた際に得られる粘度測定データの変化を示している。
【００３８】
本実施例の場合には、測定子１０には、浸漬部１０ａと、接液目印部１０ｃおよび支持部１０ｂが設けられ、接液目印部１０ｃには、下傾斜部１０２ｃ，極小幅部１００ｃ，上傾斜部１０１ｃが設けられているので、測定子１０の浸漬位置を変えると、これらの形状に応じて、測定データが変化し、図３に示すように、浸漬部１０ａと下傾斜部１０２ｃとの境界に相当する部分ａ、下傾斜部１０２ｃと極小幅部１００ｃとの境界に相当する部分ｂ、上傾斜部１０１ｃと支持部１０ｂとの境界に相当する部分ｃにそれぞれ変極点ａ，ｂ，ｃが現れる。
【００３９】
そこで、本実施例の浸漬方法では、変極点ｂに着目して、この変極点ｂとなる部分を測定子１０の浸漬位置として決定し、測定子１０をその位置に維持し、その後に得られる粘度データを測定対象物Ａの正規の粘度測定値とする。
図４は、本実施例との相違を明確にするための比較例であり、測定子に本実施例のような接液目印部１０ｃを設けない場合の、粘度測定データの変化の状態を示している。
【００４０】
この例の測定子は、先端に略円形拡幅部が設けられ、浸漬部と支持部とが同じ幅になっているので、測定子を上下方向に移動させたとしても、粘度測定データは、直線状になり、変極点が現れない。
【００４１】
この比較例と比べると明らかなように、浸漬部１０ａと接液目印部１０ｃおよび支持部１０ｂを備え、接液目印部１０ｃに、下傾斜部１０２ｃ，極小幅部１００ｃ，上傾斜部１０１ｃが設けられている測定子１０を用いると、明確な変極点ｂを浸漬位置として決定することができる。
【００４２】
さて、以上のような測定子の浸漬位置の決定方法によれば、測定子１０に測定駆動部１２から振動を加えながら、測定子１０または対象物Ａのいずれか一方を上下方向に移動させた際に、測定される粘度データの変化から、接液目印部１０ｃの浸漬位置を決定するので、作業者の目視によらず、正確に浸漬位置が決定される。
【００４３】
また、本実施例では、粘度データを測定する際には、測定子１０を対象物中に浸漬して、接液目印部１０ｃにより目視で予め予備浸漬位置を決定し、その後、接液目印部１０ｃの範囲内で上下方向に移動させることで、浸漬位置を決定するする。
【００４４】
このような方法で浸漬位置を決定すると、比較的短い範囲での上下移動により浸漬位置が決定されるので、測定の迅速性が確保される。
【００４５】
図５は、本発明にかかる粘度計用測定子の他の実施例を示しており、上記実施例と同一若しくは相当する部分には、同一符号を付して、その説明を省略するとともに、以下にその特徴点についてのみ説明する。
【００４６】
本実施例は、回転式の粘度計の測定子１０’に適用した場合であり、測定子１０’は、円形断面のロッド状に形成されている。測定子１０’は、浸漬部１０ａ’と、支持部１０ｂ’と、浸漬部１０ａ’と支持部１０ｂ’との間に設けられた接液目印部１０ｃ’とを備えている。
【００４７】
接液目印部１０ｃ’は、中央に設けられた極小径部１００ｃ’と、この両端に設けられた上および下傾斜部１０１ｃ’，１０２ｃ’とを有しており、実質的には、図２に示した測定子１０と同一である。
【００４８】
このように構成した測定子１０’でも上記実施例と同等の作用効果が得られる。
【００４９】
【発明の効果】
以上、詳細に説明したように、本発明にかかる粘度計用測定子および同測定子の浸漬位置の決定方法によれば、浸漬位置を作業者の個人誤差を少なくして正確に決定することができる。
【図面の簡単な説明】
【図１】本発明にかかる測定子を用いる粘度計の全体構図である。
【図２】図１に示した測定子の要部拡大図である。
【図３】図２に示した測定子の浸漬位置と駆動力との関係を示すグラフである。
【図４】比較例の測定子の浸漬位置と駆動力との関係を示すグラフである。
【図５】本発明にかかる測定子の他の実施例を示す要部拡大図である。
【符号の説明】
１０        測定子
１０ａ      浸漬部
１０ｂ      支持部
１０ｃ      接液目印部
１００ｃ    極小幅部
１０１ｃ    上傾斜部
１０２ｃ    下傾斜部
Ａ          測定対象物
【図１】
2004294410.tif 000003
【図２】
2004294410.tif 000004
【図３】
2004294410.tif 000005
【図４】
2004294410.tif 000006
【図５】
2004294410.tif 000007